(57)【要約】【課題】装置筐体の形状に関わらず、操作者の操作指から回転式操作部材への力の伝達損失を可及的に減少させ、入力装置の迅速かつ多様な操作を実現する。【解決手段】入力装置１０の第３の入力機構は、掌握部１２に隣接して筐体１６から部分的に露出するホイール状の回転式操作部材２２を備える。操作部材２２は、筐体１６から一部分を露出させた状態で操作部材２２の回転に伴って移動する全体として一様でない外面領域を有する。この外面領域は、回転軸線２２ａに交差する方向へ延びる凹曲面状の第１側面２６を含み、この第１側面２６が、操作者の所望の操作指を当接させる触接操作面として機能する。操作者は、操作指を押下部材２４に接触させたまま僅かに移動させて、操作部材２２の第１側面２６に当接させ、その状態で操作部材２２を回転動作させることができる。【選択図】　　　図１
2004021513.tif 000002
【特許請求の範囲】
【請求項１】
掌握部を有する手持可能な筐体と、該筐体に収容される入力機構とを具備し、該入力機構が、該掌握部に隣接して部分的に露出する回転式の操作部材を備える入力装置において、
前記操作部材は、前記筐体から一部分を露出させた状態で該操作部材の回転に伴って移動する全体として一様でない外面領域を有し、該外面領域に触接操作面が形成されることを特徴とする入力装置。
【請求項２】
前記操作部材の前記外面領域が、該操作部材の回転軸線の方向に見て互いに離背する一対の側面を含み、該一対の側面が互いに異なる表面形状を有するとともに、一方の該側面に前記触接操作面が形成される請求項１に記載の入力装置。
【請求項３】
前記触接操作面が、前記回転軸線を中心に環状に延びる凹面輪郭を有する請求項２に記載の入力装置。
【請求項４】
前記触接操作面に複数の突起が形成される請求項２又は３に記載の入力装置。
【請求項５】
前記操作部材の前記外面領域が、該操作部材の回転方向に隣り合う複数種類の分割面を含み、それら分割面に前記触接操作面が形成される請求項１〜４のいずれか１項に記載の入力装置。
【請求項６】
前記複数種類の分割面が互いに異なる表面粗さを有する請求項５に記載の入力装置。
【請求項７】
前記複数種類の分割面が互いに異なる材料から形成される請求項５又は６に記載の入力装置。
【請求項８】
少なくとも１つの種類の前記分割面が前記操作部材に着脱自在に備えられる請求項５〜７のいずれか１項に記載の入力装置。
【請求項９】
前記操作部材が、その回転軸線を入力装置搭載平面に対し傾斜させて前記筐体に設置され、前記触接操作面が、傾斜した該回転軸線の方向に見て上側に配置される請求項１〜８のいずれか１項に記載の入力装置。
【発明の詳細な説明】
【０００１】
【発明の属する技術分野】
本発明は、データ処理装置に接続して使用される入力装置に関する。
【０００２】
【従来の技術】
パーソナルコンピュータやワークステーション等のデジタルデータ処理装置に接続して使用される入力装置は、様々な操作方法を要するものが知られている。中でも、操作者の手操作に伴うアナログ的な情報入力により、ディスプレイ画面上のカーソル移動データ等の座標データを指示する小型入力装置（一般にマウスと称する）は、操作方法が単純であることから、操作者の年齢や性別といった属性を問わずに快適に使用できるよう、人間工学的な観点で操作性を改善することが望まれている。
【０００３】
この種の小型入力装置（マウス）において、座標データ指示用の自己移動検出機構（ボール式、光学式等）と、押しボタン操作（いわゆるクリック操作）用のスイッチ機構とに加えて、ディスプレイ画面上での表示移動操作（いわゆるスクロール操作）を行なうための第３の入力機構を有するものが知られている。従来、この第３の入力機構は、回転軸線を有して入力装置の筐体から部分的に露出するホイール状の操作部材と、筐体に内蔵され、操作部材の回転を検出する回転検出部と、操作部材の回転動作への断続的抗力を生じさせる（すなわちクリック感を生じる）抵抗部とを備えて構成される。操作部材は一般に、自動車のタイヤに似た外形を有し、タイヤの接地面に対応する凸曲面状の外周面が、操作者の操作指を当接させる触接操作面として機能する。また操作部材は、入力装置の筐体上面に配設されるスイッチ機構の左右一対の押下部材の間で、筐体の実質的中心線上に配置される。
【０００４】
上記した入力装置の操作者は、通常の座標データ指示操作時には、筐体上面の掌握部に掌を載せるとともに、所望の操作指（例えば人差指と中指）をスイッチ機構の両押下部材に載せた状態で、入力装置を適当な搭載平面上で水平移動させる。そして、第３の入力機構によりスクロール操作を行なう際には、両押下部材に載せたいずれかの操作指を操作部材の触接操作面に載せ換えて、操作部材を回転動作させる。このとき操作者には、抵抗部による断続的抗力を受けつつ操作部材を正確に回転動作させることが要求されるので、操作指から操作部材への力の伝達損失を可及的に減少させることが望ましい。その目的で従来、ゴム製の操作部材を用いたり、プラスチック製操作部材の触接操作面（外周面）に凹凸を設けたりする方策が採られている。
【０００５】
【発明が解決しようとする課題】
上記した第３の入力機構を有する従来の入力装置では、操作部材は、その凸曲面状の外周面が、力の伝達損失の少ない効率的操作を可能にする触接操作面として構成されているので、操作者は、スクロール操作を行なう都度、所望の操作指を、スイッチ機構の押下部材から操作部材の触接操作面（外周面）に載せ換えなければならない。このことにより、入力装置の迅速な操作が妨げられる傾向がある。特に、入力装置の操作性を向上させる目的で、握り易さを主眼とした人間工学的な非対称形状を筐体に付与した場合には、操作部材自体が筐体の握り易さを考慮しないタイヤ状の対称形状（すなわち回転軸線に直交する対称面を有する形状）を備えていることから、筐体に掌を載せた状態で操作指を触接操作面に正確に載せて操作部材を効率良く回転動作させることが、却って困難になる懸念がある。
【０００６】
また、この種の入力装置でゴム製の操作部材を用いた場合には、経時でのゴムの劣化や汚損により、入力装置の外観や操作部材の操作性が悪化することが危惧される。この場合、入力装置を分解して操作部材を取り外すことは、一般のエンドユーザには困難な作業であるから、外観や操作性の悪化が著しいときには、入力装置全体の交換が必要となる懸念がある。
【０００７】
したがって本発明の目的は、回転式の操作部材を有する第３の入力機構を備えた入力装置において、装置筐体の形状に関わらず、操作者の操作指から操作部材への力の伝達損失を可及的に減少させることができ、しかも入力装置の迅速かつ多様な操作を実現可能な、極めて優れた操作性を有する入力装置を提供することにある。
本発明の他の目的は、回転式の操作部材を有する第３の入力機構を備えた入力装置において、操作部材の材料の劣化や汚損を容易に処置して、入力装置の外観や操作部材の操作性の悪化を防止できる入力装置を提供することにある。
【０００８】
【課題を解決するための手段】
上記目的を達成するために、請求項１に記載の発明は、掌握部を有する手持可能な筐体と、筐体に収容される入力機構とを具備し、入力機構が、掌握部に隣接して部分的に露出する回転式の操作部材を備える入力装置において、操作部材は、筐体から一部分を露出させた状態で操作部材の回転に伴って移動する全体として一様でない外面領域を有し、外面領域に触接操作面が形成されることを特徴とする入力装置を提供する。
【０００９】
請求項２に記載の発明は、請求項１に記載の入力装置において、操作部材の外面領域が、操作部材の回転軸線の方向に見て互いに離背する一対の側面を含み、それら一対の側面が互いに異なる表面形状を有するとともに、一方の側面に触接操作面が形成される入力装置を提供する。
請求項３に記載の発明は、請求項２に記載の入力装置において、触接操作面が、回転軸線を中心に環状に延びる凹面輪郭を有する入力装置を提供する。
【００１０】
請求項４に記載の発明は、請求項２又は３に記載の入力装置において、触接操作面に複数の突起が形成される入力装置を提供する。
請求項５に記載の発明は、請求項１〜４のいずれか１項に記載の入力装置において、操作部材の外面領域が、操作部材の回転方向に隣り合う複数種類の分割面を含み、それら分割面に触接操作面が形成される入力装置を提供する。
【００１１】
請求項６に記載の発明は、請求項５に記載の入力装置において、複数種類の分割面が互いに異なる表面粗さを有する入力装置を提供する。
請求項７に記載の発明は、請求項５又は６に記載の入力装置において、複数種類の分割面が互いに異なる材料から形成される入力装置を提供する。
【００１２】
請求項８に記載の発明は、請求項５〜７のいずれか１項に記載の入力装置において、少なくとも１つの種類の分割面が操作部材に着脱自在に備えられる入力装置を提供する。
請求項９に記載の発明は、請求項１〜８のいずれか１項に記載の入力装置において、操作部材が、その回転軸線を入力装置搭載平面に対し傾斜させて筐体に設置され、触接操作面が、傾斜した回転軸線の方向に見て上側に配置される入力装置を提供する。
【００１３】
【発明の実施の形態】
以下、添付図面を参照して、本発明の実施の形態を詳細に説明する。全図面に渡り、対応する構成要素には共通の参照符号を付す。
図１は本発明の一実施形態による入力装置１０の図、図２は入力装置１０を使用状態で示す図である。入力装置１０は、パーソナルコンピュータやワークステーション等のデジタルデータ処理装置に電気的又は光学的に接続して、操作者の手操作に伴うアナログ的な情報入力により、ディスプレイ画面上のカーソル移動データ等の座標データを指示する小型入力装置（一般にマウスと称する）として使用できるものである。
【００１４】
入力装置１０は、掌握部１２及び掌握部１２の反対側の基部１４を有する手持可能な筐体１６と、筐体１６に収容され、掌握部１２に隣接して配置される押下操作部１８を有するスイッチ機構と、スイッチ機構から独立して筐体１６に収容され、基部１４に隣接して配置される検出部２０を有する自己移動検出機構と、スイッチ機構及び自己移動検出機構から独立して筐体に収容され、回転式の操作部材２２を有する第３の入力機構とを備える。なお、本明細書では便宜的に、操作者の右手による通常操作時の指先側を入力装置１０の前側、手首側を後側、親指側を左側、小指側を右側とし、前後方向を縦方向、左右方向を横方向として記述する。また、入力装置１０の掌握部１２側を上側、基部１４側を下側とし、上下方向を高さ方向として記述する。
【００１５】
筐体１６の掌握部１２は、通常操作時に操作者が掌を載せる領域であって、掌で包み込むように持ち易い卵形の湾曲面部分を有する。また基部１４は、通常操作時に入力装置１０を置く適当な物体表面（すなわち搭載平面）に対向支持される領域であって、筐体１６を搭載平面に安定的に載せ得る略平坦面部分を有する。掌握部１２と基部１４とは、例えば、それぞれを別部材として樹脂材料から一体成形し、互いに組み合わせて筐体１６を形成するように構成できる。なお、筐体１６の掌握部１２は、図１に示すように縦方向へ延びる中心線に関して対称形状としてもよいし、図２に示すように同中心線に関して握り易さを考慮した人間工学的な非対称形状としてもよい。
【００１６】
押下操作部１８を有するスイッチ機構は、いわゆる左クリック操作及び右クリック操作を実行するための一対の押ボタン式スイッチ（図示せず）を備え、それらスイッチの各々を互いに独立して開閉動作させる一対の押下部材２４が、掌握部１２に隣接して筐体１６上に設置される。各押下部材２４は、例えば樹脂材料から一体成形され、通常操作時に操作者が所望の操作指（例えば人差指と中指）を載せるべく、掌握部１２に円滑に連続する卵形の湾曲面部分を有する。各押下部材２４は、筐体１６上で高さ方向へ僅かな範囲に渡って変位できる。
【００１７】
検出部２０を有する自己移動検出機構は、図示しないが、発光素子、受光素子及び両素子間の光学系を含む光学式検出構造、又はボール及びボール転動検出素子を含む機械式検出構造を備えることができる。自己移動検出機構は、操作者の手持操作による搭載平面上での入力装置１０の移動方向及び移動距離を検出し、二次元座標系におけるアナログデータ信号として出力する。それにより入力装置１０は、ディスプレイ画面上のカーソル移動データ等の座標データを指示できる。なお、本発明に係る入力装置は、スイッチ機構及び自己移動検出機構の構成を限定するものではない。
【００１８】
回転式の操作部材２２を有する第３の入力機構は、いわゆるスクロール操作を実行するためのものであり、掌握部１２に隣接して筐体１６から部分的に露出するホイール状の操作部材２２と、筐体１６に内蔵され、操作部材２２の回転を検出する回転検出部（図示せず）と、操作部材２２の回転動作への断続的抗力（クリック感）を生じさせる抵抗部（図示せず）とを備える。操作部材２２は、それ自体の回転軸線２２ａを、入力装置搭載平面に略平行にかつ筐体１６の縦方向中心線に略直交して位置決めし、図示しない軸を介して筐体１６内に回転自在に支持される。また操作部材２２は、筐体１６上面に配設される左右一対の押下部材２４の間で、その円環状の外周面２２ｂを筐体１６の縦方向中心線に実質的に沿わせて配置される。なお、第３の入力機構は、操作部材２２の押下動作に伴い開閉する押しボタン式のスイッチを補足的に有することもできる。
【００１９】
操作部材２２は、筐体１６から一部分を露出させた状態で操作部材２２の回転に伴って移動する全体として一様でない外面領域を有する。この外面領域は、回転軸線２２ａの方向に見て互いに離背して、回転軸線２２ａに交差する方向へ延びる一対の側面２６、２８を含む。これら側面２６、２８は、互いに異なる表面形状を有し、第１側面２６が、操作者の所望の操作指（図では右手人差指）を当接させる触接操作面として機能する。具体的には、図３（ａ）及び（ｂ）に示すように、第１側面２６は、回転軸線２２ａを中心に環状に延びる凹曲面状の輪郭を有し、第２側面２８は、平坦面又は僅かな凸曲面状の輪郭を有する。ここで、第１側面２６の凹曲面形状は、操作指の指先横腹の膨出表面を違和感無く追従させ得るものである。
【００２０】
入力装置１０の操作者は、通常の座標データ指示操作時には、筐体１６の掌握部１２に掌を載せるとともに、所望の操作指（例えば人差指と中指）をスイッチ機構の両押下部材２４に載せた状態で、入力装置１０を適当な搭載平面上で水平移動させる。この状態で操作者は適宜、いずれか一方の押下部材２４をそれに載せた操作指で押下して、クリック操作を行なうことができる。そして、第３の入力機構によりスクロール操作を行なう際には、図２に示すように、左側の押下部材２４に載せた操作指（図では人差指）を押下部材２４に接触させたまま僅かに移動させて、操作部材２２の触接操作面すなわち第１側面２６に当接させ、その状態で操作部材２２を回転動作させることができる。
【００２１】
このように入力装置１０では、操作部材２２は、回転軸線２２ａに交差する方向へ延びる第１側面２６が、力の伝達損失の少ない効率的操作を可能にする触接操作面として構成されているので、操作者は、座標データ指示操作やクリック操作からスクロール操作に移行する際に、操作指を押下部材２４上で僅かに摺動させて、指先横腹を操作部材２２の第１側面２６に当接させればよい。この状態で操作者は、操作指の指先横腹の膨出表面に対応する操作部材２２の凹曲面状の第１側面２６に、操作指から効率良く力を伝達して、操作部材２２を円滑に回動させることができる。したがって入力装置１０によれば、操作者の操作指から操作部材２２への力の伝達損失を可及的に減少させるだけでなく、従来の入力装置のように操作指を押下部材から操作部材の外周面に載せ換える必要が無いから、入力装置１０の迅速かつ多様な操作を実現することができる。
【００２２】
また図２に示すように、入力装置１０の操作性を向上させる目的で、握り易さを考慮した人間工学的な非対称形状を筐体１６に付与した場合であっても、操作指の位置を通常の座標データ指示操作時と殆ど変えずに操作部材２２を効率良く回動操作できるから、人間工学的形状の筐体１６による疲労軽減効果が低下することはない。したがって入力装置１０は、筐体１６の形状に関わらず、上記したような極めて優れた操作性を有するものとなる。
【００２３】
入力装置１０では、操作者が、第３の入力機構における抵抗部による断続的抗力（クリック感）を受けつつ操作部材２２を正確に回転動作させることができるように、操作指から操作部材２２の第１側面２６への力の伝達損失を可及的に減少させることが望ましい。その目的で、操作部材２２の第１側面２６には、操作指に対する滑り止め構造を設けることが有利である。滑り止め構造としては、例えば図３（ｂ）に示すように、回転軸線２２ａを中心として放射状に延びる複数の突条３０を採用できる。或いは、操作部材２２の第１側面２６に他の様々な形状の凹凸構造を設けたり、第１側面２６の表面材料にゴムを用いたりすることもできる。
【００２４】
また入力装置１０は、上記実施形態の操作部材２２とは異なる様々な形状を有する操作部材を採用できる。例えば図４に示すように、全体として一様でない外面領域を有するホイール状の操作部材３２であって、その外面領域が、回転軸線３２ａの方向に見て互いに離背する一対の側面３４、３６を含むとともに、第１側面３４が触接操作面として、回転軸線３２ａを中心に環状に延びる凸曲面状の輪郭を有する操作部材３２を採用できる。この場合、第１側面３４の凸曲面形状は、第２側面３６の平坦面又は僅かな凸曲面形状に比べて、回転軸線方向へ大きく膨出するように形成できる。また所望により、この第１側面３４に複数の突起３８を設けることもできる。
【００２５】
また、図５に示すように、全体として一様でない外面領域を有するホイール状の操作部材４０であって、その外面領域が、操作部材４０の回転方向に隣り合う複数種類の分割面４２、４４を含み、それら分割面４２、４４に触接操作面が形成される操作部材４０を採用することもできる。図５の例では、自動車のタイヤに似た対称形状（すなわち回転軸線４０ａに直交する対称面を有する形状）の操作部材４０の、タイヤの接地面に対応する凸曲面状の外周面を含む表面領域が、操作者の操作指を当接させる触接操作面を構成し、この触接操作面が、周方向へ交互に配置される２種類の分割面４２、４４に分割されている。
【００２６】
このような構成を有する操作部材４０では例えば、種類の異なる分割面４２、４４に、それぞれ他とは異なる触感及び摩擦係数を付与することができる。それにより、操作者が操作部材４０を回動操作する際に、それら分割面４２、４４に対する操作指の滑り性の差異を実感でき、その結果、より滑り難い方の分割面４２、４４で操作部材４０を正確に操作していることを触感認知できる効果が奏される。このような作用効果を実現するために、２種類の分割面４２、４４には、互いに異なる表面粗さを付与することができる。或いは、これら分割面４２、４４を、互いに異なる材料から形成することもできる。
【００２７】
上記観点で、操作部材４０は、例えば樹脂製の分割面４２とゴム製の分割面４４とを備えることができる。この場合、図６及び図７に示すように、操作部材４０の複数の分割面４２と両側面４６とを含む本体部分４８を樹脂材料から一体的に形成する一方で、各々に分割面４４を含む複数のゴム製の滑り止め部材５０を本体部分４８に着脱自在に装備した構成とすることができる。このような構成によれば、滑り止め部材５０のゴム材料が経時で劣化や汚損を生じた場合にも、個々の滑り止め部材５０を適宜新しいものに交換できるので、入力装置１０の外観や操作部材４０の操作性の悪化を未然にかつ容易に防止することができる。
【００２８】
さらに、操作部材４０においては、各分割面４２、４４を両側面４６の近傍まで延長することが、入力装置１０の迅速かつ多様な操作を実現可能にする点で好ましい。このような構成によれば、前述した操作部材２２と同様に、操作者は操作指の指先横腹を操作部材４０の一側面４６に当接させた状態で、操作指から分割面４２、４４（すなわち触接操作面）に効率良く力を伝達して、操作部材４０を円滑に回動させることができる。
【００２９】
このような観点では、図８〜図１０に示すように、図３の操作部材２２の構成と図５の操作部材４０の構成とを併せ持つ操作部材５２を採用することが有利である。すなわち操作部材５２は、その全体として一様でない外面領域が、回転軸線５２ａの方向に見て互いに離背して、回転軸線５２ａに交差する方向へ延びる凹曲面状の第１側面５４と平坦面状の第２側面５６とを含むとともに、操作部材５２の回転方向に隣り合う複数種類の分割面５８、６０を含み、それら分割面５８、６０の中で第１側面５４側に位置する部分が触接操作面を構成するものである。この場合、操作部材５２の複数の分割面５８と両側面５４、５６とを含む本体部分６２を樹脂材料から一体的に形成する一方で、各々に分割面６０を含む複数のゴム製の滑り止め部材６４を本体部分６２に着脱自在に装備した構成とすることができる。
【００３０】
上記構成を有する操作部材５２によれば、ゴム製の滑り止め部材６４を適宜交換できる利点に加えて、操作者の操作指の指先横腹から操作部材５２の分割面５８、６０（すなわち触接操作面）への力の伝達損失を一層減少させる利点が得られる。したがって特に、人間工学的形状の筐体１６を有する入力装置１０において、疲労軽減効果を低下させることなく、多様でかつ極めて優れた操作性を実現することができる。
【００３１】
このように、本発明に係る入力装置は、握り易さを考慮した人間工学的な非対称形状の筐体を備える場合に、第３の入力機構における回転式の操作部材の操作性を著しく向上させることができる。例えば図１１及び図１２に示すように、繭形の非対称湾曲面部分を含む掌握部６６を有する筐体６８と、筐体６８の前端側に設置される互いに異なる形状の一対の押下部材７０、７２と、一方（図で右側）の押下部材７２から部分的に露出するホイール状の操作部材７４とを備えた入力装置７６に、本発明を適用することができる。この構成では、押下部材７２の表面の傾斜に適合させて、操作部材７４はその回転軸線７４ａを、入力装置搭載平面Ｐに対し傾斜させて筐体６８に設置される。そして、前述した種々の操作部材２２、３２、４０、５２における触接操作面と同様の構成を有する触接操作面７８が、傾斜した回転軸線７４ａの方向に見て上側に配置されている。
【００３２】
入力装置７６の操作者は、通常の座標データ指示操作時には、筐体６８の掌握部６６に掌を載せるとともに、所望の操作指（例えば親指と他の全ての指）を両押下部材７０、７２に載せた状態、すなわち実質的に掌を立てて筐体６８を握った状態で、入力装置７６を適当な搭載平面Ｐ上で水平移動させる。この状態で操作者は適宜、いずれか一方の押下部材７０、７２をそれに載せた操作指で押下して、クリック操作を行なうことができる。そして、第３の入力機構によりスクロール操作を行なう際には、図１２に示すように、右側の押下部材７２に載せた１本の操作指（図では人差指）を押下部材７２に接触させたまま僅かに移動させて、操作部材７４の触接操作面７８に当接させ、その状態で操作部材７４を回転動作させることができる。このように入力装置７６では、筐体６８の人間工学的な非対称形状に適合した傾斜配置を有する操作部材７４に対し、操作指の位置を通常の座標データ指示操作時と殆ど変えずに効率の良い回動操作を実施できるから、疲労軽減効果を促進できるとともに、極めて優れた操作性を確保できる。
【００３３】
【発明の効果】
以上の説明から明らかなように、本発明によれば、回転式の操作部材を有する第３の入力機構を備えた入力装置において、装置筐体の形状に関わらず、操作者の操作指から操作部材への力の伝達損失を可及的に減少できるとともに、入力装置の迅速かつ多様な操作を実現でき、以って極めて優れた操作性を入力装置に付与することができる。また、操作部材の外面領域が回転方向に隣り合う複数種類の分割面を含み、それら分割面に触接操作面を形成した構成では、操作部材の材料の劣化や汚損を容易に処置して、入力装置の外観や操作部材の操作性の悪化を効果的に防止できる。
【図面の簡単な説明】
【図１】本発明の一実施形態による入力装置の斜視図である。
【図２】図１の入力装置を入力操作時の状態で示す正面図である。
【図３】図１の入力装置に搭載できる回転式の操作部材の図で、（ａ）一方向からの斜視図、及び（ｂ）他方向からの斜視図である。
【図４】図１の入力装置に搭載できる他の操作部材の斜視図である。
【図５】図１の入力装置に搭載できるさらに他の操作部材の斜視図である。
【図６】図５の操作部材の断面図である。
【図７】図５の操作部材の分解斜視図である。
【図８】図１の入力装置に搭載できるさらに他の操作部材の斜視図である。
【図９】図８の操作部材の断面図である。
【図１０】図８の操作部材の分解斜視図である。
【図１１】本発明に係る人間工学的形状の筐体を備えた入力装置の図で、（ａ）平面図、（ｂ）正面図、及び（ｃ）側面図である。
【図１２】図１１の入力装置を入力操作時の状態で示す正面図である。
【符号の説明】
１２、６６…掌握部
１６、６８…筐体
１８…操作部
２２、３２、４０、５２、７４…操作部材
２４、７０、７２…押下部材
２６、３４、５４…第１側面
３０…突条
３８…突起
４２、４４、５８、６０…分割面
５０、６４…滑り止め部材
【図１】
2004021513.tif 000003
【図２】
2004021513.tif 000004
【図３】
2004021513.tif 000005
【図４】
2004021513.tif 000006
【図５】
2004021513.tif 000007
【図６】
2004021513.tif 000008
【図７】
2004021513.tif 000009
【図８】
2004021513.tif 000010
【図９】
2004021513.tif 000011
【図１０】
2004021513.tif 000012
【図１１】
2004021513.tif 000013
【図１２】
2004021513.tif 000014